(57)【要約】      （修正有）【課題】寒い日は膝関節のみを保温し、暑い日や暖房の効いた室内等では腰部や大腿部が蒸れることなく、且つ、着用していてもアウターに影響することなく高いファッション性を確保できパンツルックもスマートに着用できる着衣型膝関節保護用サポータを提供する。【解決手段】遠赤外線を吸収・再放射し易い薄手の遠赤外線加工繊維で膝関節Ａ．Ａを覆う略筒状の一対のサポータ１．１を形成し、該一対のサポータ１．１の上端開口部を通気性を有する素材で形成したパンツ型着衣２の両方の下端開口部と夫々接続させた、更に、一対のサポータ１．１の夫々の上端開口部の少なくとも一部を腰部ベルト部２ａから延設した略帯状の一対の吊り下げ部の下端部と夫々接続させたものである。【選択図】図１
0003140433.tif 000002
【実用新案登録請求の範囲】
【請求項１】
遠赤外線を吸収・再放射し易い薄手の遠赤外線加工繊維で膝関節を覆う略筒状の一対のサポータを形成し、該一対のサポータの上端開口部を通気性を有する素材で形成したパンツ型着衣の両方の下端開口部と夫々接続させたことを特徴とする着衣型膝関節保護用サポータ。
【請求項２】
遠赤外線を吸収・再放射し易い薄手の遠赤外線加工繊維で膝関節を覆う略筒状の一対のサポータを形成し、該一対のサポータの夫々の上端開口部の少なくとも一部を腰部ベルト部から延設した略帯状の一対の吊り下げ部の下端部と夫々接続させたことを特徴とする着衣型膝関節保護用サポータ。
【考案の詳細な説明】
【技術分野】
【０００１】
本考案は、着衣型膝関節保護用サポータに関するものであり、更に詳細には、膝関節のみを保温し、且つ、ずり落ちたり目立ったりしない着衣型の膝関節の保護用サポータに関するものである。
【背景技術】
【０００２】
従来から、年齢は足から取ると言われるように人は足から弱っていくケースが多く、足を弱らせないために歩行することが重要なことは常識であるが、膝関節に痛みを伴う人が寒い日に無理をして歩くと膝関節を痛めてしまうことが多発している。
【０００３】
しかし、寒い日でも歩くことで体温は上昇するものであるが、身体の胴部は温かく成っても肢体は温まりにくく、胴部の周りは温かくなって蒸れてくる状態でも膝関節は冷えたままであり、膝関節の保温が重要であり各種のサポータが使用されている。
【０００４】
この種の膝関節保護用サポータは寒さにより膝関節に痛みを伴う人には必需品であり、各種開発され市販されているが、例えば、ゴムベルト又はゴ厶紐（１、２、３）などの弾力により、腰、股、膝関節などを常時曲げさせるように、付勢した関節の両側から例えば、太腿部分と脛部分を引き合う、ゴ厶紐（１、２、３）などを日常生活での例えば、膝の曲げ伸ばしで、ゴム紐（１、２、３）などを伸ばして腰、膝などのそれぞれの筋肉を鍛え運動療法と同等以上の効果で腰、膝関節などの痛みの解消と関節の改善するもの（特許文献１参照）や、伸縮性を有する厚手の生地で形成した足部又は足首部から膝上部までのサポーター部２と、伸縮性を有する薄手の生地で形成した膝上部からパンテイ部までのサポーター保持部３と、前記サポーター部とサポーター保持部との接続部１５とからなるツインペアタイツを構成したもの（特許文献２参照）等が開示されている。
【特許文献１】特開２００５−１６０９８２号公報
【特許文献２】登録実用新案第３０４２３５８号公報
【考案の開示】
【考案が解決しようとする課題】
【０００５】
然し乍ら、特許文献１に記載のものは、膝関節の痛みの解消と改善を目的としているもので、ゴム紐１．２を腰部と足裏とに固定し、その間をゴム紐３により接続して、膝関節をベルト６で固定したもので、膝関節周りの筋肉の強化には成るものの保温する機能は劣るものであり、更に、特許文献２に記載のものは、パンティストッキング状のタイツのパンツ部と膝関節より下方を覆う靴下状のサポーター部２とを連結部材１５で連結しているもので、サポーター部２は従来の伸縮性を有した厚手の生地で形成されており、サポーター部２の全はが起毛された分厚い生地で、且つ、ゴム様の締め付け感があるもので、充血の原因にも成り、更に、足先部まで分厚い生地で形成されており、外出時等には履き物が合わず不向きなものである。又、一般的に膝関節付近のみを覆うサポータは有るが、歩行する際にずり落ちたり、膝関節にずり寄ってしまうことが多いものである。
【課題を解決するための手段】
【０００６】
前記課題に鑑み鋭意研鑚の結果、本考案の着衣型膝関節保護用サポータは、遠赤外線を放射し保温性が良く薄手の繊維で膝関節を覆う略筒状の一対のサポータを形成し、一対のサポータの上端開口部を通気性を有した素材で形成したパンツ型着衣の両方の下端開口部と接続させ、又、一対のサポータの上端開口部の少なくとも一部を腰部ベルト部から延設した一対の略帯状の吊り下げ部の下端部と接続させたものである。
【考案の効果】
【０００７】
本考案の着衣型膝関節保護用サポータは、特に、膝関節に痛みを伴う人の膝関節を遠赤外線による保温を容易にするもので、寒い日は膝関節のみを保温し、暑い日や暖房の効いた室内等では腰部や大腿部が蒸れることなく、且つ、着用していてもアウターに影響することなく高いファション性を確保できパンツルックもスマートに着用できるものであり、極めて有効な効果を有した実用性の高い考案である。
【考案を実施するための最良の形態】
【０００８】
以下、本考案の着衣型膝関節保護用サポータの実施例を図面を用いて詳細に説明すると、図１は本考案の着衣型膝関節保護用サポータの実施例を説明するための概要説明図であり、図２は本考案の着衣型膝関節保護用サポータの次実施例を説明するための概要説明図である。
【０００９】
本考案は、着衣型膝関節保護用サポータに関するものであり、更に詳細には、膝関節のみを保温し、且つ、ずり落ちたり目立ったりしない着衣型の膝関節の保護用サポータに関するものであり、請求項１に記載の着衣型膝関節保護用サポータは、遠赤外線を吸収・再放射し易い薄手の遠赤外線加工繊維で膝関節Ａ．Ａを覆う略筒状の一対のサポータ１．１を形成し、該一対のサポータ１．１の上端開口部を通気性を有する素材で形成したパンツ型着衣２の両方の下端開口部と夫々接続させたことを特徴とするものである。
【００１０】
更に、請求項２に記載の着衣型膝関節保護用サポータは、遠赤外線を吸収・再放射し易い薄手の遠赤外線加工繊維で膝関節Ａ．Ａを覆う略筒状の一対のサポータ１．１を形成し、該一対のサポータ１．１の夫々の上端開口部の少なくとも一部を腰部ベルト部２ａから延設した略帯状の一対の吊り下げ部３．３の下端部と夫々接続させたことを特徴とするものである。
【実施例】
【００１１】
即ち、本考案の着衣型膝関節保護用サポータの実施例は、図１に図示するように、サポータ１．１とパンツ型着衣２とから成るものである。
【００１２】
そして、一対のサポータ１．１は、膝関節Ａ．Ａをフィットして覆うように略筒状に形成したもので、繊維は遠赤外線を放射し保温性が良く薄手のもので、天然石、セラミックス（金属酸化物を含む）、或いは、海草や竹、木等の植物を炭化させた炭素素材を微粉末にして繊維に練り込んで付着させたり、繊維の周りにコーティングを施したりした薄手のもので、着用しても締め付け感の無い程度に形成した一対の略筒状のものである。
【００１３】
次に、パンツ型着衣２は、通常のパンツと略同形状のもので、伸縮性を有する腰部の胴周に位置する腰部ベルト部２ａと、腰部ベルト部２ａから下半身と膝関節Ａ．Ａの上方から大腿骨を覆うように股間から二股に分岐させ下方に一対の下端開口部を有したたものであり、シルク、麻、綿等を用いて通気性を有する例えばメッシュ素材で形成したのである。
【００１４】
次いで、二股としたパンツ型着衣２の夫々の下端開口部と一対のサポータ１．１の夫々の上端開口部を接続させたものであり、接続は縫着、接着等の手段により行うものである。
【００１５】
更に、本考案の着衣型膝関節保護用サポータの次実施例は、図２に図示するように、サポータ１．１と腰部ベルト部２ａと吊り下げ部３．３とから成るものである。
【００１６】
そして、サポータ１．１は、前述の実施例と同様であり、詳述は省略するものである。
【００１７】
更には、吊り下げ部３．３は、通常のパンツの前方を残して側方と後方を取り去ったもので、伸縮性を有する腰部の胴周に位置する腰部ベルト部２ａと、腰部ベルト部２ａから両足の膝関節Ａ．Ａの上方前部に延設した一対の略帯状のものであり、シルク、麻、綿等を用いて通気性を有する素材で形成したのである。
【００１８】
次いで、一対の吊り下げ部３．３の夫々の下端部と一対のサポータ１．１の夫々の上端開口部の少なくとも一部を接続させたものであり、接続は縫着、接着等の手段により行うものである。
【産業上の利用可能性】
【００１９】
本考案の着衣型膝関節保護用サポータは、特に、膝関節に痛みを伴う人の膝関節を遠赤外線による保温を容易にするもので、寒い日は膝関節のみを保温し、暑い日は腰部や大腿部が蒸れることなく、且つ、着用していてもアウターに影響することなくスマートに着用できるものであり、加速度的に進行している高齢化社会に好適な着衣型膝関節保護用サポータを提供するものである。。
【図面の簡単な説明】
【００２０】
【図１】図１は本考案の着衣型膝関節保護用サポータの実施例を説明するための概要説明図である。
【図２】図２は本考案の着衣型膝関節保護用サポータの次実施例を説明するための概要説明図である。
【符号の説明】
【００２１】
Ａ      膝関節
１      サポータ
２      パンツ型着衣
２ａ    腰部ベルト部
３      吊り下げ部
【図１】
0003140433.tif 000003
【図２】
0003140433.tif 000004